(57)【要約】【課題】  磁器製碍管に替えて、取り扱い、作業性が良く、多種の形状に対応でき、製造の容易な樹脂製碍管から成るケーブルヘッドを提供する。【解決手段】  ケーブル１の一端部の外周面のシース層１ａを一定長剥ぎ取り、ケーブル遮蔽銅テープ層１ｂ、ケーブル半導電性テープ層１ｃ、ケーブル絶縁体層１ｄを段階的に順に剥ぎ取って、その先端で導体１ｅを露出させ、このケーブル端部を、外周に複数の笠３ａを有する碍管３の貫通孔３ｂに一端から挿入し、上記ケーブル先端の導体１ｅを上記碍管３の貫通孔３ｂの他端から突出させ、この突出した導体１ｅに圧縮端子４を被せて当該圧縮端子４を圧縮し、上記碍管３の貫通孔３ａの内周とケーブル１外周との間隙にレジン５を充填して成るケーブルヘッドにおいて、上記碍管３を合成樹脂製とした。【選択図】  図１   
0003109977.tif 000002
【実用新案登録請求の範囲】
【請求項１】
ケーブルの一端部の外周面のケーブルシース層を一定長剥ぎ取り、さらに遮蔽層、外部半導電層、絶縁体層を段階的に順に剥ぎ取って、その先端で導体を露出させ、このようにして各層が段を成すように露出させたケーブル端部を、外周に複数の笠を有する碍管の貫通孔に一端から挿入し、上記ケーブル先端の導体を上記碍管の貫通孔の他端から突出させ、この突出した導体に圧縮端子を被せて当該圧縮端子を圧縮して上記導体を把持させ、上記碍管の貫通孔の内周とケーブル外周との間隙にレジンを充填して成るケーブルヘッドにおいて、上記碍管を合成樹脂製とし、避雷針と地中の接地極とを結ぶ避雷立ち下げ導体に用いることを特徴とする、避雷設備立ち下げ導体用樹脂製ケーブルヘッド。
【請求項２】
上記樹脂製の碍管は、外周に笠を有し、内部に貫通孔を有する形状か、又は略円柱状の合成樹脂素材を、施工場所に応じた形状に削って形成したことを特徴とする、請求項１に記載の避雷設備立ち下げ導体用樹脂製ケーブルヘッド。
【請求項３】
上記樹脂製の碍管の樹脂を、ポリアセタールとしたことを特徴とする、請求項１又は２に記載の避雷設備立ち下げ導体用樹脂製ケーブルヘッド。
【請求項４】
上記ケーブルは、特別高圧ケーブルであることを特徴とする、上記請求項１、２、又は３のいずれかに記載の避雷設備立ち下げ導体用樹脂製ケーブルヘッド。
【考案の詳細な説明】
【技術分野】
【０００１】
この考案は、避雷針と地中の接地極を結ぶ避雷立ち下げ導体にケーブルを使用した場合のケーブルヘッドに関するもので、このケーブルヘッドを特に合成樹脂製にし、３２０ｋＶのインパルスに耐えうる耐電圧を備えた樹脂製ケーブルヘッドに関するものである。
【背景技術】
【０００２】
従来、図５に示すように、ビル等の建造物５０には避雷装置を設けている。この避雷装置は、建造物５０の屋上に避雷針５１を立て、この建造物５０の近くの地中に接地極５２を埋設し、これらを結ぶ避雷立ち下げ導体５３に裸硬銅線用いている。
しかしながら、雷のインパルス電流がこの避雷硬銅線を流れると、建造物５０内の分電盤やその他の電気機器５４に、電磁誘導により電圧が誘起し、これらの機器が故障したり、破損したりする恐れがある。
【０００３】
そこで、これらの建造物５０内の電気機器への影響を少なくするように上記避雷立ち下げ導体５３を、遮蔽層を有する特別高圧ケーブルを使用する場合がある。この場合、ビル等の建造物５０の屋上に設けた上記避雷針５１や地中の接地極５２と特別高圧ケーブルとの接続には、当該ケーブルの各端末に端末処理部５５を設けて接続しなければならない。これにより、避雷立ち下げ導体５３をシールドし、雷電流経路の絶縁ができ、また、ケーブル５３内部の導体と絶縁層を介してのその外周の導電層の同軸効果で誘起電圧を抑制し、上記のような建造物５３内部の電気機器への影響を抑えている。
従来、この端末処理部のケーブルヘッドは通常磁器製碍管が用いられている。また、この端末処理部を、テープを巻きつけるテープ処理により形成する方法もある。
【考案の開示】
【考案が解決しようとする課題】
【０００４】
しかしながら、この磁器製碍管のうち雷インパルス耐電圧が３２０kV級のものは、重量が１２〜１６kg程度の重量があるため、高所や足場上など現場での施工上、運搬上の大きな負担となるばかりでなく、これを載置する架台、支持物も堅固にする必要があり、大型で高価なものになっている。また、価格も数十万円と高価であり、納期も通常６ヶ月程度を要するため、現場への適用が困難であった。しかも型を用いて製造するため設計の自由が利かず、形状や構造が特定のものに限られている。また、端末処理部をテープ処理により形成する方法は端末処理長に１m〜１．２mを要し、費用も百万円程度の高価格であり、その上、テープ処理作業は熟練を要するものである。
【０００５】
この考案は、これらの点に鑑みて為されたものであり、上記磁器製碍管に替えて、取り扱い、作業性が良く、多種の形状に対応でき、製造の容易な樹脂製碍管から成るケーブルヘッドを提供し、上記課題を解決しようとするものである。
【課題を解決するための手段】
【０００６】
そこで、請求項１の考案は、ケーブルの一端部の外周面のケーブルシース層を一定長剥ぎ取り、さらに遮蔽層、外部半導電層、絶縁体層を段階的に順に剥ぎ取って、その先端で導体を露出させ、このようにして各層を段を成すように露出させたケーブル端部を、外周に複数の笠を有する碍管の貫通孔に一端から挿入し、上記ケーブル先端の導体を上記碍管の貫通孔の他端から突出させ、この突出した導体に圧縮端子を被せて当該圧縮端子を圧縮して上記導体を把持させ、上記碍管の貫通孔の内周とケーブル外周との間隙にレジンを充填して成るケーブルヘッドにおいて、上記碍管を合成樹脂製の碍管とし、避雷針と地中の接地極とを結ぶ避雷立ち下げ導体に用いる避雷設備立ち下げ導体用樹脂製ケーブルヘッドとした。
【０００７】
また、請求項２の考案は、上記樹脂製碍管は、外周に複数の笠を有し、内部に貫通孔を有する形状か、又は略円柱状の合成樹脂素材を施行場所に応じた形状に削って形成した請求項１の避雷設備立ち下げ導体用樹脂製ケーブルヘッドとした。また、請求項３の考案は、上記樹脂製碍管の樹脂をポリアセタールとした請求項１又は２の避雷設備立ち下げ導体用樹脂製ケーブルヘッドとした。また、請求項４の考案は、上記ケーブルは、特別高圧ケーブルである、上記請求項１ないし３のいずれかの避雷設備立ち下げ導体用樹脂製ケーブルヘッドとした。
【考案の効果】
【０００８】
請求項１、３及び４の考案によれば、合成樹脂製の碍管は軽量であることから、運搬や現場での作業性、施工性が高い。その上、低価格化が図られる。また、雷インパルス耐電圧が３２０kV級のケーブルヘッドが容易に製造可能であり、汎用性の高い樹脂製碍管のケーブルヘッドである。
【０００９】
また、請求項２の考案によれば、碍管の長さ、直径、笠数、笠の出っ張り寸法等を自由に設計でき、形状の自由度が高く、施工場所ないしは設置場所に応じた形状で製作が可能である。
【考案を実施するための最良の形態】
【００１０】
ケーブルの一端部の外周面のケーブルシース層を一定長剥ぎ取り、さらに遮蔽層、外部半導電層、絶縁体層を順に段を成すように剥ぎ取って、その先端で導体を露出させ、このように各層を段を成すように露出させたケーブル端部を、外周に複数の笠を有する碍管の貫通孔に一端から挿入し、上記ケーブル先端の導体を上記碍管の貫通孔の他端から突出させ、この突出した導体に圧縮端子を被せて当該圧縮端子を圧縮して上記導体を把持させ、上記碍管の貫通孔の内周とケーブル外周との間隙にレジンを充填して成るケーブルヘッドにおいて、上記碍管をポリアセタールから成合成樹脂製の碍管とした。これにより、碍管が軽量となり、取り扱いが容易で、作業性が向上する。
【実施例１】
【００１１】
図1はこの考案の構成断面図であり、図２は上記碍管に挿入するケーブル端部の側面図、図３は碍管の断面図である。
まず、図３に示すように、ケーブル１（たとえば、特別高圧２２ｋＶＣＶケーブル）の一端部の外周面のケーブルシース層１ａを一定長剥ぎ取り、さらにケーブル遮蔽銅テープ層１ｂ、ケーブル半導電性テープ層１ｃ、ケーブル絶縁体層１ｄを順に段を成すように剥ぎ取って、その先端で導体１ｅを露出させ、これらの各層を段を成すように露出させたケーブル１端部を設け、上記ケーブル遮蔽銅テープ層１ｂに接地線２の一端をはんだにより固定し、上記ケーブル遮蔽銅テープ層１ｂ、ケーブル半導電性テープ１ｃ及びケーブル絶縁体層１ｄの外周にストレスコントロールテープ１ｆを巻き付ける（二重巻き）。
【００１２】
また、外周に多数の笠３ａを有する、ポリアセタールから成る合成樹脂製の碍管３を用意し、上記の状態のケーブル１の一端部を、この碍管３の貫通孔３ｂに一端から挿入し、上記ケーブル１の先端の導体１ｅを上記碍管３の貫通孔３ｂの他端から突出させ、この突出した導体１ｅに圧縮端子４を被せて当該圧縮端子４を圧縮して上記導体１ｅを把持させ、上記碍管３の貫通孔３ｂの内周とケーブル１の外周との間隙にレジン５を充填し、碍管３の下端部からケーブル１の外周まで露出させたレジンの外周をビニールテープ６で巻きつけ、上記接地線２の他端を上記ケーブルシース層１ａの外周に沿わせ、当該ビニールテープ６の間から外部に導出したものである。なお、上記碍管３の外周の下端部に鍔３ｃを設けており、この鍔３ｃには、等間隔で数個のボルト挿通用孔３ｄを設けている。
【００１３】
上記ポリアセタールの物性特性を表１に示す。
【００１４】
【表１】
0003109977.tif 000003
【００１５】
以上の実施例１は、ポリアセタールから成る樹脂製の碍管３の長さ、直径、笠数、笠の張り出し寸法及び笠の形状を実験的に検証し、３２０ｋＶのインパルス耐電圧を得た。実験は、図４に示すように、二つの上記合成樹脂製碍管Ａ，Ｂに端末処理を施した特別高圧ケーブル（２２ｋＶ用ＣＶケーブル）を取り付け、その心線とケーブルシースとの間に正極性の雷インパルスを印加した。ＪＥＣ  ３４０８特別高圧（１１ｋ〜２７５ｋＶ）架橋ポリエチレンケーブル及び接続部の高電圧試験法に準拠し、印加電圧〜３２０ｋＶ、雷インパルス標準波形１．５×５０μｓで行った。この結果、３２０ｋＶの雷インパルス電圧を印加したときにフラッシュオーバーを起こさなかった。また、上記合成樹脂製碍管は重量が約６〜７ｋｇ、価格は１０万円以下、製作図完成後納期１０日程度であった。
【００１６】
なお、この考案の合成樹脂製碍管は、その素材をポリアセタールに限定するものではなく、他の素材の合成樹脂でも良い。また、碍管の形状も上記のものに限定されず、工場で製作した碍管を、施行場所に応じた形状に合わせるため、現場で碍管の長さ、直径、笠数、笠の出っ張りを削ったり、あるいは、略円柱状の合成樹脂素材を削ったりして形状を変えることにより、異なる耐電圧を有するケーブルヘッド、あるいは異なる形状で３２０ｋＶの耐電圧を有するケーブルヘッドの製作が見込める。
【図面の簡単な説明】
【００１７】
【図１】この考案の実施例１のケーブルヘッドの構成を示す縦断面図である。
【図２】この考案の実施例１のケーブルヘッドに挿入するケーブルの一端部の側面図である。
【図３】この考案の実施例１のケーブルヘッドに使用する合成樹脂製碍管の一部断面側面図である。
【図４】この考案の実施例１のケーブルヘッドに使用する合成樹脂製碍管の耐電圧の実験概要図である。
【図５】この考案のヘーブルヘッドを使用する避雷装置を示す構成側面図である。
【符号の説明】
【００１８】
１      ケーブル
１ａ    ケーブルシース
１ｂ    ケーブル遮蔽銅テープ層
１ｃ    ケーブル半導電層
１ｄ    ケーブル絶縁層
１ｅ    導体
２      接地線                    
３      合成樹脂製碍管
３ａ    笠
３ｂ    貫通孔
３ｃ    鍔
３ｄ    ボルト挿通孔
４      圧縮端子                    
５      レジン
６      ビニールテープ            
【図１】
0003109977.tif 000004
【図２】
0003109977.tif 000005
【図３】
0003109977.tif 000006
【図４】
0003109977.tif 000007
【図５】
0003109977.tif 000008